(57)【要約】【課題】コントラスト比の高い液晶表示素子を得る。【解決手段】少なくとも、Ａ面サファイア基板の両面を鏡面仕上げする工程と、前記サファイア基板の表面にシリコン酸化膜を形成する工程と、前記Ａ面サファイア基板の表面に単結晶シリコン基板を貼付する工程と、前記Ａ面サファイア基板の裏面を粗面化する工程と、前記単結晶シリコンにＬＳＩ加工をする工程と、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる工程を具備する透過型液晶表示素子の製造方法とする。【選択図】図１１
2009229753.tif 000002
【特許請求の範囲】
【請求項１】
少なくとも、Ａ面サファイア基板の両面を鏡面仕上げする工程と、前記サファイア基板の表面にシリコン酸化膜を形成する工程と、前記Ａ面サファイア基板の表面に単結晶シリコン基板を貼付する工程と、前記Ａ面サファイア基板の裏面を粗面化する工程と、前記単結晶シリコンにＬＳＩ加工をする工程と、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる工程を具備することを特徴とする透過型液晶表示素子の製造方法。
【請求項２】
前記Ａ面サファイア基板の表面に単結晶シリコン基板を貼付する工程で、貼付後サファイア基板上の単結晶シリコン基板表面を研磨することを特徴とする請求項１記載の透過型液晶表示素子の製造方法。
【請求項３】
前記Ａ面サファイア基板の表面に単結晶シリコン基板を貼付する工程で、貼付後熱処理をしてから前記Ａ面サファイア基板の裏面を粗面化することを特徴とする請求項１又は請求項２記載の透過型液晶表示素子の製造方法。
【請求項４】
粗面化した前記Ａ面サファイア基板の裏面に光遮蔽膜を形成する工程を具備することを特徴とする請求項３記載の透過型液晶表示素子の製造方法。
【請求項５】
前記光遮蔽膜は高融点金属を含むことを特徴とする請求項４記載の透過型液晶表示素子の製造方法。
【請求項６】
さらに、前記光遮蔽膜上に絶縁膜を形成する工程を具備することを特徴とする請求項４又は５記載の透過型液晶表示素子の製造方法。
【請求項７】
主面をＡ面にしたサファイア基板に単結晶シリコン基板を貼付してＳＯＳ基板とし、前記Ａ面サファイア基板のＣ結晶軸と前記Ａ面サファイア基板に形成される配向膜の配向軸を合わせることを特徴とする透過型液晶表示素子。
【請求項８】
主面をＡ面にしたサファイア基板に単結晶シリコン基板を貼付してＳＯＳ基板とし、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせることを特徴とする透過型液晶表示素子。
【請求項９】
前記Ａ面サファイア基板に酸化シリコン膜を介して単結晶シリコン基板を貼付したことを特徴とする請求項８記載の透過型液晶表示素子。
【請求項１０】
前記Ａ面サファイア基板のＣ結晶軸と前記偏光板の透過偏光軸または吸収偏光軸のいずれかの偏光軸のズレは±１度以下であることを特徴とする請求項８又は９記載の透過型液晶表示素子。
【請求項１１】
液晶が９０°ツイストネマチック液晶であることを特徴とする請求項８、９又は１０記載の透過型液晶表示素子。
【請求項１２】
請求項７から１１記載のいずれかの透過型液晶表示素子を用いた液晶プロジェクタ装置。
【発明の詳細な説明】
【技術分野】
【０００１】
本発明は透過型液晶表示素子の製造方法及び透過型液晶表示素子ならびに液晶プロジェクタ装置に関するものである。
【背景技術】
【０００２】
以前よりホームシアター用途を中心に使用されてきた液晶プロジェクタ装置は、液晶表示素子の高精細化・ランプの高輝度化による映写画像の向上により、パソコン映像をそのまま投影して使用するプレゼンツールへと発展を遂げて来た。
【０００３】
この液晶プロジェクタ装置は、例えば図１０に示すように構成されている。図１０は単板式液晶プロジェクタ装置の要部構成模式図である。図中、３１はメタルハライドランプ・キセノンランプ・ＵＨＰ等の高輝度ランプ光源、３２は反射鏡、３４は一対の偏光板、３５は透過型液晶表示素子、３６は一対のレンズ、３７は赤外線カットフィルター、３８は投写レンズ、３９は吸気ファン、４０は排気ファン、４１は筐体である。
【０００４】
このような構成において、光源３１と反射鏡３２の反射光は、赤外線カットフィルター３７で赤外線成分をカットした後、レンズ３６、偏光板３４を経て通過し、さらに透過型液晶表示素子３５の映像を投写レンズ３８で拡大してスクリーン（不図示）に投影する。一方、吸気ファン３９と排気ファン４０が筐体４１の側面に設けられ、透過型液晶表示素子３５及び偏光板３４、光源３１等を冷却している。
【０００５】
これらの液晶プロジェクタ装置の場合、その液晶画像形成部に偏光板３４、３４を用いるために、光が大幅に吸収されてしまうこと、また、装置の小型化を図るため、１インチ近傍のサイズにまで面積の小型化が図られた透過型液晶表示素子３５の画像を数十インチから数百インチまで拡大し投影すること、などにより投影された映像の明るさの低減が避けられない。
【０００６】
そこで、光源３１としては高輝度のメタルハライドランプ、ＵＨＰランプ、キセノンランプなどの高出力のランプが使用されている。しかも、使用用途が、パソコン映像をそのまま投影して使用するプレゼンツールへと拡大するにつれ、更に小型化、高精細化、高輝度化の要求が強くなり、ますます高出力のランプが選択されるようになってきている。
【０００７】
そのため、液晶プロジェクタ装置においては、熱による不都合をなくすことが重要な課題となっている。
【０００８】
例えば、一般に液晶表示部を構成する偏光板としては沃素系偏光板を用いるが、これでは耐光性・耐熱性・耐湿熱性が十分ではないため、特に液晶プロジェクタ装置には、耐光性・耐熱性・耐湿性により優れる染料系偏光板が使用されている。
【０００９】
しかし、特に入射側の偏光板３４の場合、光の透過率が４０％程度しかなく、大半の光を吸収し発熱してしまい、７０℃以上になると特性が維持できないという問題がある。また、透過型液晶表示素子３５自体も熱には弱く、６０℃以上になると特性に支障を来すという問題がある。そこで、液晶プロジェクタ装置では、冷却ファンを発熱部に取り付ける空冷方式、液冷方式、ペルチェ素子等の電子冷却方式、偏光変換器を光源直後に設置する方式等の冷却方式が考案されてきたが一長一短があった。
【００１０】
そこで光源からの光をレンズ、偏光板を介して透過型液晶表示素子を通過させ、投影するようにした液晶プロジェクタ装置において、上記レンズ、偏光板における偏光体の保持板、液晶表示素子を構成する透明基板のうちの少なくとも一種をサファイア基板で形成することが考案された。液晶プロジェクタ装置における透過型液晶表示素子の透明基板として熱伝導性の高いサファイア基板を用いることによって、放熱性を高めるようにしたものである。（特許文献１）。
【００１１】
図９は、透明基板にサファイア基板を使用した透過型液晶表示素子の正面図（Ａ）と断面図（Ｂ）である。透過型液晶表示素子１は、入射側に位置する画素電極及びスイッチング素子を形成する透明基板２と、出射側に位置する対向電極を形成する透明基板３との間隙に液晶４を保持する構造を取っている。透過型液晶表示素子１を構成する入射側の画素電極及びスイッチング素子を形成する透明基板２、及び出射側の対向電極を形成する透明基板３をサファイア基板で形成し、透過型液晶表示素子１を構成したものである。
【００１２】
この透明基板２、３を成すサファイア基板について、いずれも透過すべき偏光の偏光軸とサファイアの結晶軸によるＣ結晶軸又はＣ結晶軸投影線方向又はＣ結晶軸と直交する軸との成す角度が、±２゜好ましくは±０．５゜以内となるように構成するか、またはサファイア基板の面方位をＣ面±２゜好ましくは±０．５゜以内とする必要がある。
【００１３】
この場合、透過型液晶表示素子１を構成する透明基板２、３自体が十分な放熱特性を持つサファイアから成るため、前記透明基板２、３の外面側に直接偏光板５、６を接合することができる。
【００１４】
単結晶サファイアは、アルミナ（Ａｌ2Ｏ3）の単結晶体であり、Ａｌ原子・Ｏ原子が配置し結晶を形成している。図８は単結晶サファイアの斜視図（Ａ）とＡ面サファイア基板の平面図（Ｂ）である。図８（Ａ）に示すようにサファイアは六方晶系であり、その中心軸がＣ結晶軸、これに垂直な面がＣ面（０００１）である。そして、Ｃ結晶軸から放射状にのびるＡ軸（ａ１，ａ２，ａ３）に垂直な面がＡ面（１１−２０）となる。Ｒ面（１、−１、０、２）は、Ｃ結晶軸と一定の角度（約３２．３８３゜）を有して存在する。
【００１５】
【特許文献１】特開平１１−３３７９１９号公報
【発明の開示】
【発明が解決しようとする課題】
【００１６】
前述のサファイア基板は、Ｃ面またはＲ面を主面とする基板である。その主な理由は、画素電極及びスイッチング素子を形成するためのシリコン薄膜をサファイア基板の主面に形成するが、サファイア基板の表面にシリコンをエピタキシャル成長させるには、サファイア基板とシリコンの格子定数を合わせる必要があり、Ｃ面またはＲ面がシリコンの格子定数に比較的近似しているからである。しかし、Ｃ面またはＲ面を主面としたサファイア基板を透過型液晶表示素子に使用した場合、コントラスト比のピークが低く、それを用いた液晶プロジェクタ装置もコントラスト比のピークが低い。
【００１７】
透過型液晶表示素子では２枚の偏光板の透過偏光軸または吸収偏光軸のいずれかの偏光軸をクロスニコル（９０°に直交）にして使用するが、透過型液晶表示素子に偏光板を貼るのに位置合わせが必要であり、位置ズレが発生するとさらにコントラスト比が低下するという問題がある。
【課題を解決するための手段】
【００１８】
少なくとも、Ａ面サファイア基板の両面を鏡面仕上げする工程と、前記サファイア基板の表面にシリコン酸化膜を形成する工程と、前記Ａ面サファイア基板の表面に単結晶シリコン基板を貼付する工程と、前記Ａ面サファイア基板の裏面を粗面化する工程と、前記単結晶シリコンにＬＳＩ加工をする工程と、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる工程を具備する透過型液晶表示素子の製造方法とする。
【００１９】
前記Ａ面サファイア基板の表面に単結晶シリコン基板を貼付する工程で、貼付後サファイア基板上の単結晶シリコン基板表面を研磨する透過型液晶表示素子の製造方法とする。
【００２０】
前記Ａ面サファイア基板の表面に単結晶シリコン基板を貼付する工程で、貼付後熱処理をしてから前記Ａ面サファイア基板の裏面を粗面化する透過型液晶表示素子の製造方法とする。
【００２１】
粗面化した前記Ａ面サファイア基板の裏面に光遮蔽膜を形成する工程を具備する前記透過型液晶表示素子の製造方法とする。
【００２２】
前記光遮蔽膜は高融点金属を含む前記透過型液晶表示素子の製造方法とする。
【００２３】
さらに、前記光遮蔽膜上に絶縁膜を形成する工程を具備する前記透過型液晶表示素子の製造方法とする。
【００２４】
主面をＡ面にしたサファイア基板に単結晶シリコン基板を貼付してＳＯＳ基板とし、前記Ａ面サファイア基板のＣ結晶軸と前記Ａ面サファイア基板に形成される配向膜の配向軸を合わせた透過型液晶表示素子とする。
【００２５】
主面をＡ面にしたサファイア基板に単結晶シリコン基板を貼付してＳＯＳ基板とし、前記Ａ面サファイア基板のＣ結晶軸を該Ａ面サファイア基板側に貼付される偏光板の透過偏光軸または吸収偏光軸のいずれかの偏光軸及び前記Ａ面サファイア基板に形成される配向膜の配向軸に合わせる透過型液晶表示素子とする。
【００２６】
前記Ａ面サファイア基板に酸化シリコン膜を介して単結晶シリコン基板を貼付してＳＯＳ基板とし、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる透過型液晶表示素子とする。
【００２７】
前記Ａ面サファイア基板のＣ結晶軸と前記偏光板の透過偏光軸または吸収偏光軸のいずれかの偏光軸のズレは±１度以下である透過型液晶表示素子とする。
【００２８】
主面をＡ面にしたサファイア基板に単結晶シリコン基板を貼付してＳＯＳ基板とし、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせ、液晶が９０°ツイストネマチック液晶である透過型液晶表示素子とする。
【００２９】
前記透過型液晶表示素子を用いた液晶プロジェクタ装置とする。
【発明の効果】
【００３０】
Ａ面サファイア基板と単結晶シリコン基板を貼付したＳＯＳ基板を使用し、Ａ面サファイア基板のＣ結晶軸と配向膜の配向軸と偏光板の透過偏光軸または吸収偏光軸のいずれかの偏光軸を合わせることで、コントラストの高い液晶表示素子が形成できる。
【００３１】
サファイア基板上に貼り付けた単結晶シリコン基板の表面を研磨することにより、また研磨法として、化学機械的研磨（Ｃｈｅｍｉｃａｌ  Ｍｅｃｈａｎｉｃａｌ  Ｐｏｌｉｓｈ）法を用いることにより、単結晶シリコン基板表面の格子欠陥を低減することが可能となり、ＬＳＩ素子形成に良好なＳＯＳ基板となる。
【００３２】
サファイア基板とシリコン基板を酸化シリコン膜を介して貼付することで、貼付強度が強化され、後工程を経ても安定したＳＯＳ基板となる。
【００３３】
Ｃ結晶軸と偏光板の透過偏光軸または吸収偏光軸のいずれかの偏光軸のズレを±１度以下にすることで、位置ズレに起因するコントラストのばらつきを低減できる。
【００３４】
ＳＯＳ基板にした後サファイア基板の裏面を粗面化することで、ＳＯＳ基板形成時の熱処理でＳＯＳ基板が反るのを防止できる。また、サファイア基板の裏面を粗面化することで、ＬＳＩ加工工程での、各装置基板ステージからＳＯＳ基板の吸着、脱着が容易にできるようになる。
【００３５】
粗面化したサファイア基板に光遮蔽膜を形成することで、ＬＳＩ加工工程でＳＯＳ基板を光センサで認識できるようになる。
【００３６】
光遮蔽膜に高融点金属を含むことでＬＳＩの熱処理工程での剥離等を発生することなく、さらに、サファイア基板と酸化シリコンを主成分とする絶縁膜、あるいは、窒化シリコンを主成分とする絶縁膜をサファイア基板の裏面側に形成する場合に、サファイア基板に直接形成する場合に比較して、高融点金属を設けることで、応力の緩和ができ、さらに、光の遮蔽を十分にすることが可能となる。高融点金属は、シリサイドを形成するタングステン、チタン、モリブデン、タンタル等の金属を用いると良い。
【００３７】
光遮蔽膜上に絶縁膜を設けることで光遮蔽膜の剥離によるＬＳＩ加工工程でのショート発生を防止できる。さらに、サファイア基板のＬＳＩ回路を形成する面（表面）と、本光遮光膜を設ける面（裏面）との同時に、同一膜を設けることで、サファイア基板の反りを防止することもでき、ＬＳＩ加工工程を安定して流すことができる。サファイア基板が反ることで、装置基板ステージとの接触面積がばらつくため、温度分布が発生するが、本絶縁膜を設けることでサファイア基板の反りが防止できるため、温度分布が小さく、ＬＳＩ加工工程が安定となり、ＬＳＩの特性のばらつきも小さくなる。
【００３８】
本発明による液晶表示素子を用いて液晶プロジェクタ装置とすることでコントラストの高い液晶プロジェクタ装置ができる。
【発明を実施するための最良の形態】
【００３９】
少なくとも、Ａ面サファイア基板の両面を鏡面仕上げする工程と、前記サファイア基板の表面にシリコン酸化膜を形成する工程と、前記Ａ面サファイア基板の表面に単結晶シリコン基板を貼付する工程と、前記Ａ面サファイア基板の裏面を粗面化する工程と、前記単結晶シリコンにＬＳＩ加工をする工程と、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる工程を具備透過型液晶表示素子の製造方法とし、Ａ面サファイア基板に酸化シリコン膜を介して単結晶シリコン基板を貼付してＳＯＳ基板とし、前記Ａ面サファイア基板のＣ結晶軸と該Ａ面サファイア基板側に貼付される偏光板の透過偏光軸または吸収偏光軸のいずれかの偏光軸及び前記Ａ面サファイア基板に形成される配向膜の配向軸を合わせる透過型液晶表示素子とする。
【実施例１】
【００４０】
図１は本発明による透過型液晶表示素子の正面図（Ａ）と断面図（Ｂ）であり、図２は各部品の分解図である。透過型液晶表示素子１１は、出射側に位置する画素電極及びスイッチング素子を形成する透明基板１２と、入射側に位置する対向電極を形成する透明基板１３との間隙に液晶１４を保持する構造を取っている。透過型液晶表示素子１１を構成する出射側の画素電極及びスイッチング素子を形成する透明基板１２はＳＯＳ基板であり、サファイア基板はＡ面を主面とする基板である。入射側の対向電極を形成する透明基板１３はガラス基板または石英基板で形成し、透過型液晶表示素子１１を構成したものである。透明基板１３もサファイアであってもよいが、光の透過率を考慮するとガラス基板か石英基板の方が好ましい。
【００４１】
ＳＯＳ基板の製造方法はいろいろあるが、Ａ面サファイア基板に単結晶シリコン基板を貼り合わせるので、ＳＩＭＯＸ(Ｓｅｐａｒａｔｉｏｎ  ｂｙ  Ｉｍｐｌａｎｔｅｄ  Ｏｘｙｇｅｎ)法、ＳｍａｒｔＣｕｔ法が適している。サファイ基板と単結晶シリコン基板は酸化シリコン膜を介して貼付することで接着強度をあげることができる。
【００４２】
透明基板（以下サファイア基板という）１２と透明基板（以下ガラス基板という）１３はシール剤１９により接着され、液晶注入口２０より液晶１４を注入して、封止剤２１で封口されている。各透明基板の液晶側には夫々配向膜１７、１８が形成されている。各透明基板の反対面には偏光板１５、１６が夫々の透過軸がクロスニコルに接着される。図１（Ａ）の矢印は単結晶サファイアのＣ結晶軸方向であり、偏光板１５の透過軸はＣ結晶軸に合わせ、偏光板１６の透過軸はＣ結晶軸に直交する軸に合わせる。
【００４３】
図３は９０°ツイストネマチック液晶を使用する透過型液晶表示素子のＡ面サファイア基板と配向膜の配向軸及び液晶分子の関係を示す図で、サファイア基板側から見た模式図である。図中の矢印は単結晶サファイアのＣ結晶軸を示す。
【００４４】
図３（Ａ）において、サファイア基板に形成された配向膜の配向軸はＹ軸に平行であり、配向膜に接触する液晶分子は実線の方向に配向されている。点線で示す液晶分子は対向するガラス基板に形成された配向膜に接しているものであり、ガラス基板に形成された配向膜はＸ軸に平行に配向されている。
【００４５】
図３（Ｂ）において、サファイア基板に形成された配向膜の配向軸はＹ軸から左回りに４５°傾いて形成されており、配向膜に接触する液晶分子は実線の方向に配向されている。点線で示す液晶分子は対向するガラス基板に形成された配向膜に接しているものであり、ガラス基板に形成された配向膜はＹ軸から右回りに４５°傾いて配向されている。
【００４６】
図４はサファイア基板側の偏光板の透過偏光軸または吸収偏光軸のいずれかの偏光軸、Ａ面サファイア基板のＣ結晶軸、配向膜の配向軸方向とガラス基板側の偏光板の透過偏光軸または吸収偏光軸のいずれかの偏光軸と、配向膜の配向軸方向を示す模式図である。本例は矩形状サファイア基板１２の辺に対しＣ結晶軸が４５°傾いている例であり、Ｃ結晶軸と偏光板１５の透過軸方向と配向膜１７の配向軸を一致させている。ガラス基板１３に形成する配向膜１８の配向軸と偏光板１６の透過軸はサファイア基板１２側の各軸とクロスニコルに配置されている。
【００４７】
図５は単結晶サファイアの主面がＡ面、Ｃ面、Ｒ面のコントラスト比のグラフである。
縦軸はコントラスト比であり、横軸は回転角を示す。縦軸の両脇に±１°の位置を示している。測定は、２枚の偏光板の透過偏光軸または吸収偏光軸のいずれかの偏光軸をクロスニコルさせ、その間にサファイア基板を入れ、サファイア基板を回転させる。一方の偏光板の外側に光源、他方の偏光板の外側に光センサを配置し、光源の光が光センサに到達する光量を測定すると黒レベルが測定できる。２枚の偏光板の透過偏光軸または吸収偏光軸のいずれかの偏光軸を平行にして、同様にサファイア基板を回転して白レベルを黒レベルと同一角度で測定する。白／黒でコントラスト比が出せる。Ａ面のコントラスト比が高いことが分かる。
【実施例２】
【００４８】
図１１は本発明による透過型液晶表示素子の製造方法の主な工程を示すフローチャート図である。
【００４９】
Ｓ０１はＡ面サファイア基板の両面を鏡面仕上げする工程である。図８（Ｂ）に示すＡ面を主面とするサファイア基板の表面を鏡面にする。エピタキシャル成長させるほどの表面精度は必要でなく、算術平均線粗さＲａ≦０．３ｎｍ程度でよい。
【００５０】
Ｓ０２はＳＯＳ基板を形成する工程である。例えばＳｍａｒｔＣｕｔ法で形成するが、ＳｍａｒｔＣｕｔ法の詳細は特開平５−２１１１２８号公報を参照されたい。
【００５１】
Ｓ０３はＳＯＳ基板のシリコン基板貼着面とは反対面を粗面化する工程である。粗さはＲａ＝０．３８μｍ〜０．８１μｍにすることで後工程（Ｓ０６）での吸着、脱着が容易になる。粗面化はＳＯＳ基板形成後に行うが、ＳＯＳ基板形成前に粗面化するとＳＯＳ基板形成時の熱処理により反りが発生するからである。
【００５２】
Ｓ０４は粗面化した面に光遮蔽膜を形成する工程である。真空蒸着法により光遮蔽膜を形成するが、光遮蔽膜には高融点金属を含む方が好ましい。光遮蔽膜は後工程（Ｓ０６）でＳＯＳ基板を光センサで検出するのに用いる。
【００５３】
Ｓ０５は光遮蔽膜の上面に絶縁膜を形成する工程である。絶縁膜を形成することにより次工程のＬＳＩ加工工程で光遮蔽膜の剥離を防止し、ショート不良を防止できる。
【００５４】
Ｓ０６はサファイア基板に積層された単結晶シリコンのＬＳＩ加工工程である。ＴＦＴや配線、駆動回路、画素電極等を作りこむ。
【００５５】
Ｓ０７は配向膜を形成する工程である。配向膜はポリイミドのような有機系または酸化シリコン等の無機系があるが、目的に応じて適宜選択する。酸化シリコンによる配向膜は一般に斜め蒸着により形成されるが、その際は配向軸がサファイア基板のＣ結晶軸と一致するように形成される。
【００５６】
Ｓ０８はラビング工程であり、ポリイミドのように一面に形成した配向膜を硬化させた後、ラビングにより配向する。配向軸がＣ結晶軸と一致するように形成する。配向膜が斜め蒸着で形成される場合は本工程は必要ない。
【００５７】
Ｇ０１はガラス基板に共通電極である透明電極を形成する工程である。一般にはＩＴＯを真空蒸着で電極膜に形成する。
【００５８】
Ｇ０２は前記共通電極の上に配向膜を形成する工程であり、Ｓ０７と同じである。Ｇ０３はラビング工程でありＳ０８と同じである。
【００５９】
Ｓ０９はＳＯＳ基板とガラス基板をシール剤を介して貼付する工程であり、通常の液晶表示素子製造工程と同じである。
【００６０】
Ｓ１０は液晶を注入する工程、Ｓ１１は液晶注入口を封口する工程であり、通常の液晶表示素子製造工程と同じである。
【００６１】
Ｓ１２はＳＯＳ基板とガラス基板の表面に偏光板を貼付する工程である。
【実施例３】
【００６２】
次に、透過型液晶表示素子と偏光板の位置合わせについて説明する。図６は本発明で使用する位置あわせ装置の模式図であり、同図（Ａ）は位置確認工程、（Ｂ）はマーキング工程である。
【００６３】
図６（Ａ）において１２はサファイア基板、１３はガラス基板、２２、２３はリファレンス偏光板、２４は光源である。リファレンス偏光板２２、２３を最も光源２４からの光が透過しない状態のクロスニコルに配置し、その間にサファイア基板１２を出射側にして透過型液晶表示素子を挿入する。サファイア基板１２の一部に光源２４の光を透過させ、透過型液晶表示素子を回転してリファレンス偏光板２２から出射する光が最小になる位置を探す。リファレンス偏光板２２から出射する光が最小になる位置が、リファレンス偏光板２２、２３とサファイア基板１２の最大のコントラストを達成する軸が一致した位置である。
【００６４】
次に、図６（Ｂ）に示すように、サファイア基板１２にレーザーでマーキングする。マーキングはサファイア基板の対角線でも４箇所でも良いが、マーキング位置と偏光板の透過偏光軸または吸収偏光軸のいずれかの偏光軸を合わせて貼付することでサファイア基板１２と偏光板の位置ズレが防止できる。
【実施例４】
【００６５】
図７は本発明で使用する位置合わせ装置の模式図であり、同図（Ａ）は位置確認工程、（Ｂ）、（Ｃ）は貼付工程である。
【００６６】
図７（Ａ）において１２はサファイア基板、１３はガラス基板、２２、２３はリファレンス偏光板、２４は光源である。リファレンス偏光板２２、２３を最も光源２４からの光が透過しない状態のクロスニコルに配置し、その間にサファイア基板１２を出射側にして透過型液晶表示素子を挿入する。サファイア基板１２の一部に光源２４の光を透過させ、透過型液晶表示素子を回転してリファレンス偏光板２２から出射する光が最小になる位置を探す。リファレンス偏光板２２から出射する光が最小になる位置が、リファレンス偏光板２２、２３とサファイア基板１２の最大のコントラストを達成する軸が一致した位置である。
【００６７】
次に、図７（Ｂ）に示すように、透過型液晶表示素子を引き抜き、サファイア基板１２用偏光板１５を回転させ、リファレンス偏光板２３と透過光が最小になるクロスニコルに配置し、透過型液晶表示素子を挿入して偏光板１５をサファイア基板１２に貼付する。
【００６８】
次に、図７（Ｃ）に示すように、透過型液晶表示素子を上下反転し、偏光板１５の部分を利用し、ガラス基板１３用偏光板１６を回転し、偏光板１５とクロスニコルに配置してガラス基板１３に偏光板１６を貼付する。
【００６９】
以上により、透過型液晶表示素子の両面に偏光板を最適なコントラストが得られる状態で貼付することができる。
【００７０】
本発明による透過型液晶表示素子を図１０に示す液晶プロジェクタ装置に用いることにより、コントラストの高い液晶プロジェクタ装置が実現できる。
【図面の簡単な説明】
【００７１】
【図１】本発明による透過型液晶表示素子の正面図（Ａ）と断面図（Ｂ）
【図２】各部品の分解図
【図３】９０°ツイストネマチック液晶を使用する液晶表示素子のＡ面サファイア基板と配向膜の配向軸及び液晶分子の関係を示す図で、サファイア基板側から見た模式図
【図４】サファイア基板側の偏光板の透過偏光軸または吸収偏光軸のいずれかの偏光軸、Ａ面サファイア基板のＣ結晶軸、配向膜の配向軸方向とガラス基板側の偏光板の透過偏光軸または吸収偏光軸のいずれかの偏光軸と、配向膜の配向軸方向を示す模式図
【図５】単結晶サファイアの主面がＡ面、Ｃ面、Ｒ面のコントラスト比のグラフ
【図６】本発明で使用する位置あわせ装置の模式図であり、同図（Ａ）は位置確認工程、（Ｂ）はマーキング工程
【図７】本発明で使用する位置あわせ装置の模式図であり、同図（Ａ）は位置確認工程、（Ｂ）、（Ｃ）は貼付工程
【図８】単結晶サファイアの斜視図（Ａ）とＡ面サファイア基板の平面図（Ｂ）
【図９】透明基板にサファイア基板を使用した液晶表示素子の正面図（Ａ）と断面図（Ｂ）
【図１０】単板式型液晶プロジェクタ装置の要部構成模式図
【図１１】本発明による透過型液晶表示素子の製造方法の主な工程を示すフロー図
【符号の説明】
【００７２】
１    液晶表示素子
２    透明基板
３    透明基板
４    液晶
５    偏光板
６    偏光板
１１    液晶表示素子
１２    透明基板（サファイア基板）
１３    透明基板（ガラス基板）
１４    液晶
１５    偏光板
１６    偏光板
１７    配向膜
１８    配向膜
１９    シール剤
２０    液晶注入口
２１    封止剤
２２    リファレンス偏光板
２３    リファレンス偏光板
２４    光源
３１    光源
３２    反射鏡
３４    偏光板
３５    液晶表示素子
３６    レンズ
３７    赤外線カットフィルター
３８    投写レンズ
３９    吸気ファン
４０    排気ファン
４１    筐体
【図１】
2009229753.tif 000003
【図２】
2009229753.tif 000004
【図３】
2009229753.tif 000005
【図４】
2009229753.tif 000006
【図５】
2009229753.tif 000007
【図６】
2009229753.tif 000008
【図７】
2009229753.tif 000009
【図８】
2009229753.tif 000010
【図９】
2009229753.tif 000011
【図１０】
2009229753.tif 000012
【図１１】
2009229753.tif 000013